(57)【要約】【課題】ＴＤＤ方式により通信を行う通信装置において、外部通信装置との通信の中断を抑えてループバック試験を行うことが可能な技術を提供することを目的とする。【解決手段】送受信部１９は、送信期間と受信期間とが繰返し現れるＴＤＤ（Time Division Duplexing）方式により、信号を端末２と送受信する。デジタル信号生成・解析部１１は、送受信部１９に出力したループバック試験データと、送受信部１９から帰還したループバック試験データとが一致するかを判定するループバック試験を行う。デジタル信号生成・解析部１１は、送信期間においてのみ、または、受信期間においてのみ、ループバック試験を行う。【選択図】図２
2010130082.tif 000002
【特許請求の範囲】
【請求項１】
送信期間と受信期間とが繰返し現れるＴＤＤ（Time Division Duplexing）方式により、信号を外部通信装置と送受信する送受信部と、
前記送受信部に出力した試験情報と、前記送受信部から帰還した前記試験情報の少なくとも一部とが一致するかを判定するループバック試験を行う制御部と、
を備え、
前記制御部は、前記送信期間においてのみ、または、前記受信期間においてのみ前記ループバック試験を行う、通信装置。
【請求項２】
請求項１に記載の通信装置であって、
前記制御部は、
前記受信期間においてのみ、複数のサブキャリアに含まれる所定のサブキャリアを使用して前記ループバック試験を行い、
前記外部通信装置が前記ループバック試験が行われる前記受信期間において前記所定のサブキャリア以外の前記複数のサブキャリアを使用して信号を送信するように前記外部通信装置を制御するための制御情報を、前記ループバック試験前に前記送受信部を通じて前記外部通信装置に送信する、通信装置。
【請求項３】
請求項２に記載の通信装置であって、
前記制御部は、
複数の前記受信期間において、前記ループバック試験を行い、
前記ループバック試験が行われる複数の前記受信期間の間に、前記ループバック試験で使用される前記所定のサブキャリアに対して全ての前記複数のサブキャリアを割り当てるように、前記ループバック試験が行われる前記受信期間ごとに前記所定のサブキャリアを変更する、通信装置。
【請求項４】
請求項１乃至請求項３のいずれかに記載の通信装置であって、
前記通信装置は、ＷｉＭＡＸ（Worldwide Interoperability for Microwave Access）での基地局である、通信装置。
【請求項５】
（ａ）送信期間と受信期間とが繰返し現れるＴＤＤ（Time Division Duplexing）方式により、送受信部を介して信号を外部通信装置と送受信する工程と、
（ｂ）前記送受信部に出力した試験情報と、送受信部から帰還した前記試験情報の少なくとも一部とが一致するかを判定するループバック試験を行う工程と、
を備え、
前記工程（ｂ）は、前記送信期間においてのみ、または、前記受信期間においてのみ行われる、通信方法。
【請求項６】
請求項５に記載の通信方法であって、
前記工程（ｂ）では、前記受信期間においてのみ、複数のサブキャリアに含まれる所定のサブキャリアが使用されて前記ループバック試験が行われ、
（ｃ）前記外部通信装置が前記所定のサブキャリア以外の前記複数のサブキャリアを使用して前記ループバック試験が行われる前記受信期間において信号を送信するように前記外部通信装置を制御するための制御情報を、前記ループバック試験前に前記送受信部を通じて前記外部通信装置に送信する工程、
をさらに備える、通信方法。
【発明の詳細な説明】
【技術分野】
【０００１】
本発明は、送信期間と受信期間とが繰返し現れるＴＤＤ（Time Division Duplexing）方式により、信号を外部通信装置と送受信する通信装置、および、通信方法に関するものである。
【背景技術】
【０００２】
通信装置では、信号の送受信が正しく行われているかについて自己診断するため、ループバック試験が行われることがある。このループバック試験では、信号を外部通信装置と送受信する送受信部に出力した試験情報と、送受信部から帰還した試験情報とが一致するかの判定が行われる。特許文献１には、ＴＤＤ方式で通信を行う通信装置でのループバック試験が開示されている。また、特許文献２には、二つの基地局を備え、通信を停止しないようにループバック試験を行う基地局装置が記載されている。
【０００３】
【特許文献１】特開平６−１５２５６１号公報
【特許文献２】特許２００４−２８２５００号公報
【発明の開示】
【発明が解決しようとする課題】
【０００４】
さて、従来のＴＤＤ方式の通信装置においては、外部通信装置との通信回線を切断した上で、ループバック試験を行っている。その結果、外部通信装置では、長期間、通信装置と信号を完全に送受信できなくなるため、通信装置との通信品質が劣化するという問題があった。
【０００５】
本発明は、上記のような問題点を鑑みてなされたものであり、ＴＤＤ方式により通信を行う通信装置において、外部通信装置との通信の中断を抑えてループバック試験を行うことが可能な技術を提供することを目的とする。
【課題を解決するための手段】
【０００６】
上記課題を解決するため、本発明に係る通信装置は、送信期間と受信期間とが繰返し現れるＴＤＤ（Time Division Duplexing）方式により、信号を外部通信装置と送受信する送受信部と、前記送受信部に出力した試験情報と、前記送受信部から帰還した前記試験情報の少なくとも一部とが一致するかを判定するループバック試験を行う制御部とを備え、前記制御部は、前記送信期間においてのみ、または、前記受信期間においてのみ前記ループバック試験を行う。
【０００７】
また、本発明に係る通信装置の一態様では、前記制御部は、前記受信期間においてのみ、複数のサブキャリアに含まれる所定のサブキャリアを使用して前記ループバック試験を行い、前記外部通信装置が前記ループバック試験が行われる前記受信期間において前記所定のサブキャリア以外の前記複数のサブキャリアを使用して信号を送信するように前記外部通信装置を制御するための制御情報を、前記ループバック試験前に前記送受信部を通じて前記外部通信装置に送信する。
【０００８】
また、本発明に係る通信装置の一態様では、前記制御部は、複数の前記受信期間において、前記ループバック試験を行い、前記ループバック試験が行われる複数の前記受信期間の間に、前記ループバック試験で使用される前記所定のサブキャリアに対して全ての前記複数のサブキャリアを割り当てるように、前記ループバック試験が行われる前記受信期間ごとに前記所定のサブキャリアを変更する。
【０００９】
また、本発明に係る通信装置の一態様では、前記通信装置は、ＷｉＭＡＸ（Worldwide Interoperability for Microwave Access）での基地局である。
【００１０】
また、本発明に係る通信方法は、（ａ）送信期間と受信期間とが繰返し現れるＴＤＤ（Time Division Duplexing）方式により、送受信部を介して信号を外部通信装置と送受信する工程と、（ｂ）前記送受信部に出力した試験情報と、送受信部から帰還した前記試験情報の少なくとも一部とが一致するかを判定するループバック試験を行う工程とを備え、前記工程（ｂ）は、前記送信期間においてのみ、または、前記受信期間においてのみ行われる。
【００１１】
また、本発明に係る通信方法の一態様では、前記工程（ｂ）では、前記工程（ａ）の前記受信期間においてのみ、複数のサブキャリアに含まれる所定のサブキャリアが使用されて前記ループバック試験が行われ、（ｃ）前記外部通信装置が前記所定のサブキャリア以外の前記複数のサブキャリアを使用して前記ループバック試験が行われる前記受信期間において信号を送信するように前記外部通信装置を制御するための制御情報を、前記ループバック試験前に前記送受信部を通じて前記外部通信装置に送信する工程をさらに備える。
【発明の効果】
【００１２】
本発明によれば、通信装置は、ＴＤＤ方式の通信に現れる送信期間においてのみ、または、ＴＤＤ方式の通信に現れる受信期間においてのみループバック試験を行う。これにより、通信装置は、ループバック試験が行われる期間の前および後において、外部通信装置とのＴＤＤ方式の通信を行うことができる。したがって、通信装置は、外部通信装置との通信の中断をできる限り抑えた状態で、ループバック試験を行うことができる。その結果、外部通信装置の通信品質の劣化を抑制することができる。
【００１３】
また、本発明の一態様によれば、ループバック試験で行われる受信期間において、ループバック試験で使用する所定のサブキャリア以外の複数のサブキャリアに重畳されたデータを、通信装置は外部通信装置から受信できる。そのため、通信装置の送信におけるスループットを低下させず、かつ、外部通信装置の送信におけるスループットをほとんど低下させずに、ループバック試験を行うことができる。
【００１４】
また、本発明の一態様によれば、外部通信装置に使用される全てのサブキャリアに対して、ループバック試験を行うことができる。その結果、送受信部が、全てのサブキャリアで信号を正しく送受信しているかについて確認することができる。
【発明を実施するための最良の形態】
【００１５】
＜実施の形態１＞
図１は、本発明の実施の形態１に係る無線通信システムの構成を示す図である。無線通信システムは、基地局１と複数の端末２とを備える。なお、図１では簡単のため、複数の端末２のうちの１つの端末を示している。本実施の形態に係る通信装置である基地局１は、ＩＥＥＥ８０２．１６ｅに規定されているモバイルＷｉＭＡＸに準拠した基地局である。基地局１は、ＴＤＤ方式により、外部通信装置である端末２と無線信号を送受信する。これにより、基地局１は、端末２と無線通信を行う。
【００１６】
図２は、本実施の形態１に係る基地局１の構成を示す図である。図２に示すように、基地局１は、デジタル部４と、ＲＦ部５と、アンテナ６とを備える。デジタル部４は、デジタル信号生成・解析部１１と、変調部１２と、復調部１３とを備える。ＲＦ部５は、ＤＡＣ（Digital-to-Analog Converter）１４と、混合器１５と、送受信スイッチ部１６と、混合器１７と、ＡＤＣ（Analog-to-Digital Converter）１８とを備える。
【００１７】
デジタル部４のデジタル信号生成・解析部１１は、送信データを生成し、その送信データを変調部１２に出力する。デジタル信号生成・解析部１１には、例えば、ＤＳＰ（Digital Signal Processor）が用いられる。変調部１２は、デジタル信号生成・解析部１１からの送信データに基づいてキャリアを変調する。復調部１３は、ＡＤＣ１８からのデジタル信号を復調処理して受信データを取得し、その受信データをデジタル信号生成・解析部１１に出力する。変調部１２、復調部１３には、例えば、ＦＰＧＡ（Field Programmable Gate Array）が用いられる。
【００１８】
ＲＦ部５のＤＡＣ１４は、変調部１２において送信データが重畳されたデジタル信号を、アナログ信号に変換する。混合器１５は、ＤＡＣ１４からのアナログ信号の周波数を、端末２との通信に用いられる周波数に変換する。送受信スイッチ部１６の端子Ｂ，Ｃの間には空間が設けられており、送受信スイッチ部１６は、端子Ｂ，Ｃのいずれか一方と、端子Ａとを選択的に接続する。送受信スイッチ部１６が、端子Ａと端子Ｂとを接続したときには、混合器１５からの信号が、アンテナ６を介して端末２に送信される。これにより、基地局１は、端末２に信号を送信する（ダウンリンク）。
【００１９】
一方、送受信スイッチ部１６が、端子Ａと端子Ｃとを接続したときには、アンテナ６で受信された、端末２からの信号が、混合器１７に入力される。混合器１７は、入力された信号の周波数を、デジタル信号生成・解析部１１で処理可能な周波数に変換する。ＲＦ部５のＡＤＣ１８は、混合器１７からのアナログ信号をデジタル信号に変換する。これにより、基地局１は、端末２からの信号を受信する（アップリンク）。
【００２０】
送受信スイッチ部１６は、デジタル信号生成・解析部１１の制御により、端子Ａと端子Ｂとの接続と、端子Ａと端子Ｃとの接続とを交互に行う。図３は、基地局１が、端末２と信号を無線により送受信するときの様子を示す図である。図の横軸は、時間を示す。図の上下を分割する線より上側は、基地局１が、アンテナ６から端末２に信号を送信する動作を示し、その線より下側は、基地局１が、端末２から信号をアンテナ６で受信する動作を示す。図に示すように、基地局１は、端末２への信号の送信と、端末２からの信号の受信とが交互に現れるＴＤＤ方式により、信号を端末２と送受信する。
【００２１】
図３では、基地局１がデータを端末２に送信する送信期間２１と、基地局１が端末２からデータを受信する受信期間２４とが示されている。変調部１２、復調部１３、ＤＡＣ１４、混合器１５、送受信スイッチ部１６、混合器１７、ＡＤＣ１８からなる送受信部１９は、送信期間２１と受信期間２４とが繰返し現れるＴＤＤ方式により、信号を端末２と送受信する。
【００２２】
ここで、ＷｉＭＡＸでは、プリアンブルと、ＤＬ−ＭＡＰメッセージと、ＵＬ−ＭＡＰメッセージとを有するヘッダが、基地局１から端末２に送信されなければならない。また、ＷｉＭＡＸでは、１つのフレームには、基地局１から端末２へ送信される下りサブフレームと、端末２から基地局１へ送信される上りサブフレームとが含まれている。ＤＬ−ＭＡＰメッセージとは、下りサブフレームにおけるバースト領域の位置・大きさを示す情報、つまり、下りサブフレームにおける無線リソース割り当て情報である。ＵＬ−ＭＡＰメッセージとは、上りサブフレームにおけるバースト領域の位置・大きさを示す情報、つまり、上りサブフレームにおける無線リソース割り当て情報である。
【００２３】
基地局１は、送信期間２１のうちのヘッダ送信期間２２において、ヘッダを端末２に送信し、送信期間２１のうちのデータ送信期間２３において、ヘッダ以外のデータを端末２に送信する。本実施の形態では、ヘッダ送信期間２２において送受信部１９が送信するヘッダの送信電力は、データ送信期間２３において送受信部１９が送信するデータの送信電力と同じ値に設定されている。図に示すように、基地局１が送信から受信に切り替わる際には、ガード時間であるＴＴＧ（Transmit Transition Gap）２５が設けられ、基地局１が受信から送信に切り替わる際には、ガード時間であるＲＴＧ（Receive Transition Gap）２６が設けられている。
【００２４】
本実施の形態に係る基地局１は、送受信部１９において信号の送受信が正しく行われているかについて自己診断するため、送受信部１９のループバック試験を行う。以下に、本実施の形態に係るループバック試験について説明する。
【００２５】
まず、図２において、デジタル信号生成・解析部１１は、送受信部１９の送受信スイッチ部１６において、端子Ａと端子Ｃとを接続する。それから、デジタル信号生成・解析部１１は、ループバック試験用の情報である擬似データ（以下、ループバック試験データと記すこともある）を生成して、変調部１２に出力する。変調部１２は、ループバック試験データに基づいてキャリアを変調する。変調部１２において、ループバック試験データが重畳された信号（以下、ループバック試験信号と記すこともある）は、ＤＡＣ１４に出力される。ＤＡＣ１４に出力されたループバック試験信号は、混合器１５を介して、端子Ｂに出力される。
【００２６】
そうすると、送受信スイッチ部１６の端子Ｂは、端子Ａにも端子Ｃにも接続されていないため、端子Ｂに出力されたループバック試験信号は、端子Ｂから空間を通じて端子Ｃに入力される。端子Ｃに入力されたループバック試験信号は、混合器１７およびＡＤＣ１８を介して、復調部１３に入力される。復調部１３は、ループバック試験信号を復調処理してループバック試験データを取得し、そのループバック試験データをデジタル信号生成・解析部１１に出力する。
【００２７】
本実施の形態に係る制御部であるデジタル信号生成・解析部１１は、送受信部１９に出力した試験情報であるループバック試験データと、送受信部１９から帰還したループバック試験データとが一致するかを判定する。デジタル信号生成・解析部１１が、それらデータが一致したと判定した場合には、基地局１は、送受信部１９は正常状態であると判断する。一方、デジタル信号生成・解析部１１が、それらデータが一致しないと判定した場合には、基地局１は、送受信部１９には何らかの異常があると判断する。なお、それらデータが一致しないと判定するにあたっては、出力したループバック試験データの全ての部分に対し、帰還したループバック試験データが一致することを確認することによって判定してもよいし、出力したループバック試験の一部の部分と、帰還したループバック試験データの当該一部に対応する部分とが一致することを確認することによって判定してもよい。また、出力したループバック試験データの全てが、帰還したループバック試験データと一致しなければ異常があると判定してもよいし、出力したループバック試験データと、帰還したループバック試験データとの全部または一部において一致する確率に応じて異常の度合いを評価し、所定の確率以上一致しない場合に異常と判定してもよい。
【００２８】
なお、端子Ｂから空間に放射された電波の一部は、漏洩信号として、アンテナ６から基地局１の外部に放射される。この漏洩信号は、端末２にとって妨害電波である。端末２がこの漏洩信号を受信しないようにするため、漏洩信号の電力は十分微弱となるように、混合器１５の出力レベルは決定される。
【００２９】
図４は、ループバック試験前後における基地局１の動作を示す図である。本実施の形態に係るデジタル信号生成・解析部１１は、送信期間２１においてのみ、ループバック試験を行う。図に示すように、本実施の形態では、ループバック試験は、ある受信期間２４と次の受信期間２４との間にある１つの送信期間２１のデータ送信期間２３の全期間で行われるものとする。以下、ループバック試験が行われる期間を、試験期間２７と記すこともある。図４では、試験期間２７の漏洩信号の電力が、通常の送信期間２１の信号の電力よりも弱いことを示すため、図の上下を分割する上側において、ヘッダを示す上側の四角形と、漏洩信号を示す上側の四角形との間に段差をつけて示している。
【００３０】
以上のような本実施の形態に係る基地局１によれば、送信期間２１においてのみ、ループバック試験を行う。これにより、基地局１は、端末２との通信回線を切らずに、試験期間２７の前および後の受信期間２４において、端末２とのＴＤＤ方式の通信を行うことができる。したがって、基地局１は、端末２との通信の中断をできる限り抑えた状態で、ループバック試験を行うことができる。その結果、端末２の通信品質の劣化を抑制することができる。
【００３１】
なお、本実施の形態では、試験期間２７が、１つの送信期間２１のデータ送信期間２３の全期間であるものとして説明した。しかし、試験期間２７は、これに限ったものではなく、１つの送信期間２１内の任意の期間あってもよく、複数の送信期間２１にまたがってもよい。
【００３２】
＜実施の形態２＞
実施の形態１に係る無線通信システムでは、デジタル信号生成・解析部１１は、データ送信期間２３においてのみ、ループバック試験を行った。そのため、図４に示したように、実施の形態１に係る基地局１は、ヘッダ送信期間２２において、通常の電力によりヘッダを送信するが、その直後の試験期間２７において、信号の送信を実質的に停止する。そのため、端末２は、ヘッダを受信した直後には、信号を受信しなくなる。
【００３３】
端末２が、オープンループ電力制御を行っている場合に、ヘッダを受信した直後に信号を受信しなくなると、端末２のＡＧＣ（Automatic Gain Control）回路は、雑音信号の微弱電力を、通常の値よりも大きな値を有する増幅率で増幅して、端末２に使用可能な電力レベルまで増幅する制御を行う。この大きな値を有する増幅率は、試験期間２７直後の送信期間２１まで維持される。この状態で、端末２が、試験期間２７直後の送信期間２１において基地局１から信号を受信すると、その信号は、その送信期間２１の通常の電力を有しているので、端末２のＡＧＣは、増幅率を元の通常の値に戻す制御を行う。ここで、この制御が、端末２が試験期間２７後に信号を受信すべきタイミングまでに間に合わなければ、端末２は、基地局１から信号を受信できなくなるという問題があった。
【００３４】
また、実施の形態１に係る無線通信システムでは、基地局１は、試験期間２７のすぐ後の受信期間２４において、端末２からの信号を受信する動作を行う。そのため、基地局１は、ループバック試験の判定処理と、端末２からの信号の受信処理とを短時間で行う必要があり、高価な高性能の演算処理装置を基地局１に設けなければならないという問題が生じる。以下、これらの問題を解決できる本実施の形態に係る無線通信システムを、実施の形態１に係る無線通信システムとの相違点を中心に説明する。なお、実施の形態２に係る基地局１の構成は、実施の形態１に係る基地局１の構成と同じである。
【００３５】
図５は、ループバック試験前後における本実施の形態に係る基地局１の動作を示す図である。図に示すように、本実施の形態に係るデジタル信号生成・解析部１１は、実施の形態１に係るデジタル信号生成・解析部１１と異なり、受信期間２４においてのみ、ループバック試験を行う。図に示すように、本実施の形態では、ループバック試験は、ある送信期間２１と次の送信期間２１との間にある１つの受信期間２４の全期間で行われるものとする。
【００３６】
以上のような本実施の形態に係る基地局１によれば、受信期間２４においてのみ、ループバック試験を行う。これにより、基地局１は、端末２との通信回線を切らずに、試験期間２７の前および後の送信期間２１において、端末２とのＴＤＤ方式の通信を行うことができる。したがって、基地局１は、端末２との通信の中断をできる限り抑えた状態で、ループバック試験を行うことができる。その結果、端末２の通信品質の劣化を抑制することができる。
【００３７】
また、本実施の形態に係る基地局１によれば、実施の形態１と異なり、端末２は、ヘッダを受信した直後に、データを受信する。つまり、端末２が、ヘッダの受信直後に信号を受信しなくなるという状態がなくなるため、端末２のＡＧＣの動作に不具合が生じるのを防ぐことができる。その結果、端末２は、試験期間２７後においても、基地局１からの信号を正しく受信することができる。また、本実施の形態に係る基地局１によれば、受信期間２４と、試験期間２７との間に、送信期間２１が挟まれる。そのため、基地局１は、端末２からの信号の受信処理と、ループバック試験の判定処理とを短時間で行わなくてもよいので、高価な高性能の演算処理装置を基地局１に設けなくても、これら処理を行うことができる。
【００３８】
＜実施の形態３＞
実施の形態１に係る無線通信システムでは、送信期間２１においてループバック試験が行われるため、基地局１は、本来その期間に送信しようとしていたデータを送信できなくなる。その結果、実施の形態１に係る無線通信システムでは、基地局１のスループットが低下するという問題があった。一方、実施の形態２に係る無線通信システムでは、受信期間２４においてループバック試験が行われるため、基地局１は、本来その期間に受信しようとしていたデータを受信できなくなるという問題があった。以下、これらの問題を解決できる本実施の形態に係る無線通信システムを、実施の形態２に係る無線通信システムとの相違点を中心に説明する。なお、実施の形態３に係る基地局１の構成は、実施の形態１に係る基地局１の構成と同じである。
【００３９】
実施の形態２と同様、本実施の形態では、試験期間２７が、１つの受信期間２４の全期間であるものとする。図６は、ループバック試験が行われる試験期間２７に、本実施の形態に係る基地局１の混合器１７に入力される信号を示す図である。図の横方向は時間を示し、縦方向はサブチャネルを示す。ここで、ＷｉＭＡＸのサブチャネルは、特定の複数のサブキャリアから構成される。
【００４０】
本実施の形態では、デジタル信号生成・解析部１１は、ＷｉＭＡＸで規定されている固定数の複数のサブキャリア３１に含まれる所定のサブキャリア３２に、ループバック試験データを重畳するように、変調部１２を制御する。これにより、本実施の形態に係るデジタル信号生成・解析部１１は、試験期間２７において、複数のサブキャリア３１に含まれる所定のサブキャリア３２を使用して、ループバック試験を行う。その結果、基地局１の混合器１７には、ループバック試験データが重畳された所定のサブキャリア３２が、ループバック試験信号として入力される。
【００４１】
その一方で、端末２が試験期間２７において所定のサブキャリア３２以外の複数のサブキャリア３１にデータを重畳して送信するように、基地局１は、端末２を制御する。その結果、基地局１の混合器１７には、端末２からのデータが重畳された、所定のサブキャリア３２以外の複数のサブキャリア３１が入力される。基地局１は、このように端末２を制御するためのＵＬ−ＭＡＰメッセージを、ループバック試験前に送受信部１９を通じて端末２に送信する。本実施の形態では、ＵＬ−ＭＡＰメッセージを有するヘッダが、試験期間２７の直前のヘッダ送信期間２２に送信される。
【００４２】
以上のような本実施の形態に係る基地局１は、ループバック試験で使用する所定のサブキャリア３２以外の複数のサブキャリア３１に重畳されたデータを、ループバック試験で行われる試験期間２７において、端末２から受信できる。そのため、基地局１の送信におけるスループットを低下させず、かつ、端末２の送信におけるスループットをほとんど低下させずに、ループバック試験を行うことができる。
【００４３】
なお、実施の形態では、試験期間２７が、１つの受信期間２４の全期間であるものとして説明した。しかし、試験期間２７は、これに限ったものではなく、１つの受信期間２４内の任意の期間であってもよい。また、送信期間２７は、複数の受信期間２４にまたがってもよい。以下に、デジタル信号生成・解析部１１が、複数の受信期間２４において、ループバック試験を行う場合について説明する。以下の説明では、ループバック試験が行われる複数の受信期間２４、つまり、複数の試験期間２７は、４つの受信期間２４で構成されているものとする。この４つの試験期間２７は、１つまたは複数の送信期間２１を挟んで互いに離して設けてもよい。
【００４４】
図７は、ループバック試験が行われる４つの試験期間２７に、本実施の形態に係る基地局１の混合器１７に入力される信号を示す図である。図７（ａ）〜（ｄ）は、試験期間２７ごとに、混合器１７に入力される信号を、図６と同じ様式で示したものである。図に示すように、デジタル信号生成・解析部１１は、４つの試験期間２７の間で、ループバック試験で使用される所定のサブキャリア３２に対して全てのサブキャリア３１を割り当てるように、試験期間２７ごとに所定のサブキャリア３２を変更する。
【００４５】
このような基地局１は、ＷｉＭＡＸで規定されている全てのサブキャリア３１に対して、ループバック試験を行うことができる。その結果、送受信部１９が、全てのサブキャリア３１で信号を正しく送受信しているかについて確認することができる。
【００４６】
なお、本実施の形態では、上述の制御情報を有するヘッダは、試験期間２７の直前のヘッダ送信期間２２に送信するものとした。しかし、これに限ったものではなく、上述のＵＬ−ＭＡＰメッセージは、試験期間２７前のヘッダ送信期間２２であればいずれの期間に送信されてもよい。また、実施の形態１〜実施の形態３では、基地局１においてループバック試験が行われる場合について説明した。しかし、これに限ったものではなく、端末２においても、基地局１と同様に、ループバック試験を行うものであってもよい。
【図面の簡単な説明】
【００４７】
【図１】実施の形態１に係る無線通信システムの構成を示す図である。
【図２】実施の形態１に係る基地局の構成を示すブロック図である。
【図３】実施の形態１に係る基地局の動作を示す図である。
【図４】実施の形態１に係る基地局の動作を示す図である。
【図５】実施の形態２に係る基地局の動作を示す図である。
【図６】実施の形態３に係る基地局の混合器に入力される信号を示す図である。
【図７】実施の形態３に係る基地局の混合器に入力される信号を示す図である。
【符号の説明】
【００４８】
１  基地局
２  端末
１１  デジタル信号生成・解析部
１９  送受信部
２１  送信期間
２４  受信期間
３１  サブキャリア
３２  サブキャリア
【図１】
2010130082.tif 000003
【図２】
2010130082.tif 000004
【図３】
2010130082.tif 000005
【図４】
2010130082.tif 000006
【図５】
2010130082.tif 000007
【図６】
2010130082.tif 000008
【図７】
2010130082.tif 000009